(57)【特許請求の範囲】
【請求項１】
少なくとも一部に凸状に膨出した膨出部２，３を有する女性用衣料の膨出部構造において、
前記女性用衣料の膨出部２，３の少なくとも一部の端縁に相当する外形線を、略対称線１１として、当該女性用衣料の膨出部２，３の表面側を構成する素材５を成形する表面側成形部１２と、前記女性用衣料の膨出部の裏面側を構成する素材６を成形する裏面側成形部１３とが一体的かつ立体的に形成され、しかも前記表面側成形部１２の方が前記裏面側成形部１３よりも若干大きく形成された金型１０を用いて、当該女性用衣料の膨出部２，３の表面側及び裏面側を構成する素材５，６を、一体的かつ立体的に成形し、前記略対称線１１を基準にして、当該女性用衣料の膨出部２，３の表面側及び裏面側を構成する素材５，６を折り返すことにより、前記女性用衣料の膨出部２，３の少なくとも一部の端縁を二重に形成したことを特徴とする女性用衣料の膨出部構造。
【請求項２】
前記女性用衣料の膨出部２，３は、ブラジャー等の女性用衣料のバストカップ部であり、当該バストカップ部２，３の上縁部の一辺を、接続線及び略対称線１１として、前記バストカップ部２，３の表面側及び裏面側を構成する素材５，６を、一体的かつ立体的に熱プレス成形又は射出成形したことを特徴とする請求項１記載の女性用衣料の膨出部構造。
【請求項３】
少なくとも一部に凸状に膨出した膨出部２，３を有する女性用衣料の膨出部の形成方法において、
前記女性用衣料の膨出部２，３の少なくとも一部の端縁に相当する外形線を、略対称線１１として、当該女性用衣料の膨出部２，３の表面側を構成する素材５を成形する表面側成形部１２と、前記女性用衣料の膨出部２，３の裏面側を構成する素材６を成形する裏面側成形部１３とが一体的かつ立体的に形成され、しかも前記表面側成形部１２の方が前記裏面側成形部１３よりも若干大きく形成された金型１０を用いて、当該女性用衣料の膨出部２，３の表面側及び裏面側を構成する素材５，６を、一体的かつ立体的に成形する工程と、
前記略対称線１１を基準にして、当該女性用衣料の膨出部２，３の表面側及び裏面側を構成する素材５，６を折り返すことにより、前記女性用衣料の膨出部２，３の少なくとも一部の端縁を二重に形成する工程とを備えたことを特徴とする女性用衣料の膨出部の形成方法。
【請求項４】
少なくとも一部に凸状に膨出した膨出部２，３を有する女性用衣料の膨出部の形成装置において、
前記女性用衣料の膨出部２，３の少なくとも一部の端縁に相当する外形線を、略対称線１１として、当該女性用衣料の膨出部２，３の表面側を構成する素材５を成形する表面側成形部１２と、前記女性用衣料の膨出部２，３の裏面側を構成する素材６を成形する裏面側成形部１３とが一体的かつ立体的に形成され、しかも前記表面側成形部１２の方が前記裏面側成形部１３よりも若干大きく形成された金型１０を備え、
前記金型１０を用いて当該女性用衣料の膨出部２，３の表面側を構成する素材５を成形する表面側成形部１２と、当該女性用衣料の膨出部２，３の裏面側を構成する素材６を成形する裏面側成形部１３とを、一体的かつ立体的に設け、
当該女性用衣料の膨出部２，３の表面側及び裏面側を構成する素材５，６を、一体的かつ立体的に成形し、前記略対称線１１を基準にして、当該女性用衣料の膨出部２，３の表面側及び裏面側を構成する素材５，６を折り返すことにより、前記女性用衣料の膨出部２，３の少なくとも一部の端縁を二重に形成することを特徴とする女性用衣料の膨出部の形成装置。
【発明の詳細な説明】
【０００１】
【発明の属する技術分野】
この発明は、スーツ、ジャケット、ドレス、ブラジャー、ブラスリップ、ボディスーツ、オールインワン、ボディシェイパー、ガードル等の女性用衣料のバストカップやヒップなどの膨出部構造及びその形成方法、並びに当該女性用衣料の膨出部の製造装置に関する。
【０００２】
【従来の技術】
従来、この種のブラジャーやボディスーツ、あるいはガードル等の女性用衣料は、バストカップやヒップなどの凸状に膨出した膨出部を有している。これらのの女性用衣料のバストカップなどの膨出部は、まず、当該バストカップの表面側及び裏面側を構成する布片等の各素材を、バストカップの外形に略沿った形状にそれぞれ裁断（カット）し、これらのバストカップの外形に略沿った形状にカットされた布片等の各素材が、図１１に示すようなモールド成形型１００を用いて、バストカップを形成する立体形状かつ相似状に形成される。
【０００３】
その後、上記女性用衣料のバストカップなどの膨出部は、これらの立体形状かつ相似状に形成されたバストカップの表面側及び裏面側を構成する布片等の各素材を、縫い代を残してカットし、これらのバストカップの表面側及び裏面側を構成する布片等の各素材を、バストカップのチェスト部（上縁部）の一辺を接続線として縫製（ソーイング）するとともに、互いに一体的に縫着されたバストカップの表面側及び裏面側を構成する布片等の各素材を、二重になるように折り返すことによって形成される。
【０００４】
また、上記ガードルのヒップなどの膨出部も、上記バストカップの膨出部と同様に、当該ガードルのヒップの表面側及び裏面側を構成する布片等の各素材を、カットアンドソーイングすることによって、一体的に縫着されたガードルのヒップの表面側及び裏面側を構成する布片等の各素材を、当該ガードルのヒップのボトム部（下縁部）の一辺を基準として二重になるように折り返すことによって形成される。
【０００５】
【発明が解決しようとする課題】
しかしながら、上記従来技術の場合には、次のような問題点を有している。すなわち、上記従来の女性用衣料のバストカップなどの膨出部は、当該バストカップの表面側及び裏面側を構成する布片等の各素材を、バストカップの外形に略沿った形状に別々に裁断（カット）し、これらのバストカップの外形に略沿った形状にカットされた布片等の各素材を、バストカップを形成する立体形状かつ相似状に成形することによって形成される。そのため、上記バストカップの表面側及び裏面側を構成する布片等の各素材は、バストカップの外形に略沿った形状に別々に裁断（カット）する必要があるので、バストカップの相似体の基準線より外側に位置する略円形の一片１０１は、図１１に示すように、縫い代を残して裁断（カット）されて完全に無駄となるため、布片等の材料の無駄が多いという問題点があった。
【０００６】
また、上記従来の女性用衣料のバストカップなどの膨出部は、当該バストカップの表面側及び裏面側を構成する布片等の各素材を、バストカップの外形に略沿った形状にそれぞれ裁断（カット）する工程と、これらバストカップの外形に略沿った形状にそれぞれ裁断（カット）された布片等の各素材を、バストカップを形成する立体形状かつ相似状に成形する工程と、当該バストカップを形成する立体形状かつ相似状に成形された表裏両面を構成する布片等の各素材を、一体的に縫製（ソーイング）する工程など、多くの工程を経て形成されるため、加工工程や加工時間が長くなり、その分だけコストアップを招くという問題点もあった。
【０００７】
さらに、上記従来の女性用衣料のバストカップなどの膨出部は、バストカップを形成する立体形状かつ相似状に成形された表裏両面を構成する布片等の各素材を、一体的に縫製（ソーイング）する作業を経て形成されるため、立体的な曲線を形成するバストカップのチェスト部（上縁部）を縫製するには、高い縫製技術を必要とし、美しいチェスト部の外形線を形成することが困難であり、バストカップなどの膨出部の形成作業の正確性が期待し難く、歩留りが低下するという問題点もあった。
【０００８】
また更に、上記従来の女性用衣料のバストカップなどの膨出部は、バストカップの表面側及び裏面側を形成する布片等の各素材を別々に作成し、これら表裏両面を形成する布片等の各素材を、縫製（ソーイング）作業により縫い止め、縫い代を内側に折り返すため、表裏２枚の構成でも、バストカップ１０３のチェスト部１０４は、図１２に示すように、４枚の厚みを持ち、着用感が悪くなると同時に、バストを横断する微妙なラインが、ブラウスや薄手の表着等に響くため、外観が低下するという問題点もあった。
【０００９】
そこで、この発明は、上記従来技術の問題点を解決するためになされたものでり、その目的とするところは、女性用衣料の膨出部を構成する布片等の材料に無駄が生じるのを防止するとともに、当該女性用衣料の膨出部を少ない形成工程で形成することができ、コストダウンや形成作業の正確性の向上が可能であり、しかも、女性用衣料の膨出部のエッジ部を薄く形成することができ、当該エッジ部の厚みが表着等に響くことがなく、外観を向上することが可能な女性用衣料の膨出部構造及びその形成方法、並びに当該女性用衣料の膨出部の製造装置を提供することにある。
【００１０】
【課題を解決するための手段】
この発明においては、カット＆ソーイング工程によって形成されるブラジャー等の女性用衣料において、バストカップ等の膨出部を一体的に成形し、この一体的に成形されたバストカップ等のチェストの一辺又はトップ乃至はアンダーの一辺又は全体のエッジを、基準線として略相似体を構成したことにより、一辺を袋状とする女性用衣料の女性用衣料の膨出部構造及びその形成方法であり、並びに当該女性用衣料の膨出部の製造装置を創造したものである。
【００１１】
すなわち、請求項１に記載された発明は、少なくとも一部に凸状に膨出した膨出部２，３を有する女性用衣料の膨出部構造において、
前記女性用衣料の膨出部２，３の少なくとも一部の端縁に相当する外形線を、略対称線１１として、当該女性用衣料の膨出部２，３の表面側を構成する素材５を成形する表面側成形部１２と、前記女性用衣料の膨出部の裏面側を構成する素材６を成形する裏面側成形部１３とが一体的かつ立体的に形成され、しかも前記表面側成形部１２の方が前記裏面側成形部１３よりも若干大きく形成された金型１０を用いて、当該女性用衣料の膨出部２，３の表面側及び裏面側を構成する素材５，６を、一体的かつ立体的に成形し、前記略対称線１１を基準にして、当該女性用衣料の膨出部２，３の表面側及び裏面側を構成する素材５，６を折り返すことにより、前記女性用衣料の膨出部２，３の少なくとも一部の端縁を二重に形成したことを特徴とする女性用衣料の膨出部構造である。
【００１２】
上記女性用衣料の膨出部は、例えば、その上端縁に相当する外形線を、略対称線として形成されるが、膨出部の下端縁又は上下端縁の双方、あるいは側端縁に相当する外形線を、略対称線として形成しても良い。
【００１３】
また、請求項２に記載された発明は、前記女性用衣料の膨出部２，３は、ブラジャー等の女性用衣料のバストカップ部であり、当該バストカップ部２，３の上縁部の一辺を、接続線及び略対称線１１として、前記バストカップ部２，３の表面側及び裏面側を構成する素材５，６を、一体的かつ立体的に熱プレス成形又は射出成形したことを特徴とする請求項１記載の女性用衣料の膨出部構造である。
【００１４】
さらに、請求項３に記載された発明は、少なくとも一部に凸状に膨出した膨出部２，３を有する女性用衣料の膨出部の形成方法において、
前記女性用衣料の膨出部２，３の少なくとも一部の端縁に相当する外形線を、略対称線１１として、当該女性用衣料の膨出部２，３の表面側を構成する素材５を成形する表面側成形部１２と、前記女性用衣料の膨出部２，３の裏面側を構成する素材６を成形する裏面側成形部１３とが一体的かつ立体的に形成され、しかも前記表面側成形部１２の方が前記裏面側成形部１３よりも若干大きく形成された金型１０を用いて、当該女性用衣料の膨出部２，３の表面側及び裏面側を構成する素材５，６を、一体的かつ立体的に成形する工程と、
前記略対称線１１を基準にして、当該女性用衣料の膨出部２，３の表面側及び裏面側を構成する素材５，６を折り返すことにより、前記女性用衣料の膨出部２，３の少なくとも一部の端縁を二重に形成する工程とを備えたことを特徴とする女性用衣料の膨出部の形成方法である。
【００１５】
この請求項３に記載された発明における膨出部の形成方法について、基本的な製造工程について例示すれば、素材である基布の粗裁、基布の成形型へのセット、基布の成形、成形品の裁断の順である。なお、基布の最終的な裁断は、成形後に行なわれる。また、基布をプレスするには、一般的に、基布を圧力盤と受動盤にて保持する必要がある。
【００１６】
素材である基布は、編み地、織り地、不織布、又はフィルム体でも良いが、これを構成する編み地又は織り地並びにフィルムの組成は、ポリエステルが主となるが、熱成形性のあるナイロン・アセテート・ポリウレタン等を基本とする。又はこれを主とする非成形性の綿等の天然繊維の複合組成体でも良い。
【００１７】
また、製品デザイン並びにモールドデザインは、表裏二重構造のカップ体について説明しているように、内径となる裏面と、外径となる表面とでは微妙に大きさを変え、さらにパッド体を介在させる場合は、当然パッド体の肉厚を考慮した内径をデザインするのが望ましい。
【００１８】
さらに、表面を構成する素材、裏面を構成する素材は、一つの基布、同一組成、同一組織がベースとなるが、モールド型の略対称線９を略基線に、編み組織又は組成を複合化しても良いし、別素材を芯地等の目的で一部乃至全体にコーテイングしてもよい。又、裏面を構成する側の編み組織をパイル調にする、更にはリバーシブルに構成してもよい。
【００１９】
また更に、請求項４に記載された発明は、少なくとも一部に凸状に膨出した膨出部２，３を有する女性用衣料の膨出部の形成装置において、
前記女性用衣料の膨出部２，３の少なくとも一部の端縁に相当する外形線を、略対称線１１として、当該女性用衣料の膨出部２，３の表面側を構成する素材５を成形する表面側成形部１２と、前記女性用衣料の膨出部２，３の裏面側を構成する素材６を成形する裏面側成形部１３とが一体的かつ立体的に形成され、しかも前記表面側成形部１２の方が前記裏面側成形部１３よりも若干大きく形成された金型１０を備え、
前記金型１０を用いて当該女性用衣料の膨出部２，３の表面側を構成する素材５を成形する表面側成形部１２と、当該女性用衣料の膨出部２，３の裏面側を構成する素材６を成形する裏面側成形部１３とを、一体的かつ立体的に設け、
当該女性用衣料の膨出部２，３の表面側及び裏面側を構成する素材５，６を、一体的かつ立体的に成形し、前記略対称線１１を基準にして、当該女性用衣料の膨出部２，３の表面側及び裏面側を構成する素材５，６を折り返すことにより、前記女性用衣料の膨出部２，３の少なくとも一部の端縁を二重に形成することを特徴とする女性用衣料の膨出部の形成装置である。
【００２０】
例えば、モールド型は、凸型に対して、必ず凹型が存在する。特に、本発明の場合には、凹型が必要となる。
【００２１】
また、成形時、被成形体（基布）は、枠板や受動盤等で必ず保持されている。当然表裏の素材設計が異なる場合は、枠板や受動盤等が位置決めの役割をも兼ねる。
【００２２】
さらに、モールド成形は、立体的である必要があるが、人体形状に適合する三次元形状であることが望ましい。
【００２３】
なお、女性用衣料の膨出部の形状としては、身頃と分離した図２以外に身頃体を一体化したカップ体や、図２のような身頃体を持たないもの（部分的なもの）がある。
【００２４】
また、本発明の応用は、図１０のように、ブラジャー等の裏当て構造（表に響かない）や、デルタパッド（男子用も含む）等にも、おもて着に響かないテクニックとして応用することができる。
【００２５】
【発明の実施の形態】
以下に、この発明の実施の形態について図面を参照して説明する。
【００２６】
実施の形態１
図２はこの発明の実施の形態１に係る女性用衣料の膨出部構造を適用したストラップレスのチェストブラジャーを示すものである。
【００２７】
図２において、１は女性用衣料としてのストラップレスのブラジャーを示すものであり、このブラジャー１は、女性のバストをそれぞれ覆う左右のカップ部２、３を備えている。これらの左右のカップ部２、３は、当該左右のカップ部２、３の下側に縫着された下辺連結布４によって、一体的に連結されており、この下辺連結布４の左右の両側には、女性の体の背面側で互いに係止される図示しない左右の側布がそれぞれ縫着されている。これら左右の側布の先端部には、フックやアイ等からなる図示しない係止具が、縫着等の手段によって取り付けられている。なお、上記下辺連結布４の左右の両側に縫着された側布に伸縮性を持たせるとともに、側布を円筒状に形成することによって、フックやアイ等からなる係止具を使用しないように構成しても良い。
【００２８】
上記左右のカップ部２、３は、図３に示すように、当該カップ部２、３の表面側を形成する素材５と、当該カップ部２、３の裏面側を形成する素材６と、これら表面側を形成する素材５との裏面側を形成する素材６との間に介在された乳房パッド７とから構成されている。なお、上記乳房パッド７を使用せずに、カップ部２、３を、表面側を形成する素材５との裏面側を形成する素材６のみから構成しても勿論よい。
【００２９】
ところで、この実施の形態に係るブラジャー等の女性用衣料のカップ部である膨出部は、当該女性用衣料の膨出部の少なくとも一部の端縁に相当する外形線を、略対称線として、当該女性用衣料の膨出部の表面側及び裏面側を構成する素材を、一体的かつ立体的に成形し、前記略対称線を基準にして、当該女性用衣料の膨出部の表面側及び裏面側を構成する素材を折り返すことにより、前記女性用衣料の膨出部の少なくとも一部の端縁を二重に形成するように構成されている。
【００３０】
また、この実施の形態では、前記女性用衣料の膨出部が、ブラジャー等の女性用衣料のバストカップ部であり、当該バストカップ部の上縁部の一辺を、接続線及び略対称線として、前記バストカップ部の表面側及び裏面側を構成する素材を、一体的かつ立体的に熱プレス成形又は射出成形するように構成されている。
【００３１】
すなわち、上記ブラジャー１のカップ部２及びカップ部３は、それぞれ同一の構造を有しているが、ここでは、一方のカップ部２を例にして説明する。
【００３２】
上記ブラジャー１のカップ部２は、図４に示すように、当該カップ部２、３を構成する素材５、６として、ポリエステル、ナイロン、アセテート等の熱成形性を有する布状片を、当該ブラジャー１のカップ部２のチェスト部（上縁部）８に相当する外形線を略対称線９として、当該ブラジャー１のカップ部２の表面側及び裏面側を構成する素材５、６が、略対称な所定の形状に裁断（カット）されて構成されている。上記カップ部２の表面側及び裏面側を構成する素材５、６は、略対称な所定の形状に裁断されているが、これらのカップ部２の表面側及び裏面側を構成する素材は、後述するように、前記略対称線９を基準にして、当該カップ部２の表面側及び裏面側を構成する素材５、６を折り返すことにより、前記カップ部２のチェスト部（上端縁）８を二重に形成するように構成されるため、表面側を構成する素材５の方が、裏面側を構成する素材６よりも若干大きく形成するのが望ましい。なお、図４中、イ−ロ線及びイ’−ロ’線は、後述するように、互いに一体的に接合される接合線をそれぞれ示している。
【００３３】
また、上記の如く略対称な所定の形状に裁断されたカップ部２の表面側及び裏面側を構成する素材５、６は、図５に示すようなモールド金型１０を用いて、一体的かつ立体的に加熱加圧成形されており、これらのカップ部２の表面側及び裏面側を構成する素材５、６は、図６に示すように、カップ部２の立体形状に対応した形状に一体的かつ立体的に形成されている。
【００３４】
さらに、上記の如くカップ部２の立体形状に対応した形状に、一体的かつ立体的に形成されているカップ部２の表面側及び裏面側を構成する素材５、６は、図１に示すように、略対称線に相当するカップ部２のチェスト部（上端縁）８を基準にして、カップ部２の裏面側を構成する素材６が、当該カップ部２の表面側を構成する素材５の内側に来るように折り返されており、前記カップ部２のチェスト部（上端縁）８が二重に袋状に形成されている。
【００３５】
上記の如くチェスト部（上端縁）８が二重に袋状に形成されたカップ部２及びカップ部３は、図２に示すように、下辺連結布４に一体的に縫着されており、ブラジャー１を構成している。
【００３６】
次に、上記の如く構成されるブラジャー１のカップ部２及びカップ部３の形成方法について説明する。なお、上記ブラジャー１のカップ部２及びカップ部３は、それぞれ同一の形成方法によって形成されるが、ここでは、一方のカップ部２を例にして説明する。
【００３７】
まず、上記ブラジャー１のカップ部２を構成する素材５、６としては、例えば、ポリエステル、ナイロン、アセテート等の熱成形性を有する布状片が用いられる。しかし、これに限定されるものではなく、他の素材を用いても良いことは勿論である。
【００３８】
上記ブラジャー１のカップ部２の表面側及び裏面側を構成する素材５、６は、図４に示すように、当該ブラジャー１のカップ部２のチェスト部（上縁部）８に相当する外形線を略対称線９として、略対称な所定の形状に裁断（カット）される。上記カップ部２の表面側及び裏面側を構成する素材５、６は、略対称な所定の形状に裁断されるが、これらのカップ部２の表面側及び裏面側を構成する素材５、６は、後述するように、前記略対称線９を基準にして、当該カップ部２の表面側及び裏面側を構成する素材５、６を折り返すことにより、前記カップ部２のチェスト部（上端縁）８を二重に形成するように構成されるため、表面側を構成する素材５の方が、裏面側を構成する素材６よりも若干大きく形成するのが望ましい。
【００３９】
また、上記の如く略対称な所定の形状に裁断されたカップ部２の表面側及び裏面側を構成する素材５、６は、図５に示すようなモールド金型１０を用いて、一体的かつ立体的に加熱加圧成形され、これらのカップ部２の表面側及び裏面側を構成する素材５、６は、図６に示すように、カップ部２の立体形状に対応した形状に一体的かつ立体的に形成される。
【００４０】
上記モールド金型の凸型１０は、図５に示すように、ブラジャー１のカップ部２のチェスト部（上端縁）８に相当する外形線を、略対称線１１として、当該ブラジャー１のカップ部２の表面側を構成する素材５を成形する表面側成形部１２と、当該ブラジャー１のカップ部２の裏面側を構成する素材６を成形する裏面側成形部１３とを、一体的かつ立体的に設けるように構成されている。また、上記表面側成形部１２及び裏面側成形部１３の下端部には、所定の幅のフランジ部１４、１５が設けられており、これらフランジ部１４、１５は、カップ部２の下端縁を形成するためのものである。上記モールド金型の凸型１０の表面側成形部１２及び裏面側成形部１３によって成形される、カップ部２の表面側及び裏面側を構成する素材５、６は、後述するように、前記略対称線９を基準にして、当該カップ部２の表面側及び裏面側を構成する素材５、６を折り返すことにより、前記カップ部２のチェスト部（上端縁）８を二重に形成するように構成されるため、表面側成形部１２の方を裏面側成形部１３よりも若干大きく形成するのが望ましい。
【００４１】
また、上記モールド金型の凸型１０の略対称線１１は、ブラジャー１のカップ部２の表面側を構成する素材５と、裏面側を構成する素材６とを、一体的に接合する接合線としての機能をも有している。このモールド金型の凸型１０の略対称線１１は、ブラジャー１のカップ部２のチェスト部（上端縁）８を直接形成するものである。したがって、上記凸型１０の略対称線１１におけるカップ部２の表面側を構成する素材５と、裏面側を構成する素材６との接合状態が不良となると、カップ部２のチェスト部（上端縁）８に直接影響する。そのため、このモールド金型の凸型１０の略対称線１１は、カップ部２の表面側を構成する素材５と、裏面側を構成する素材６とを、精度良く互いに接合することができるように形成する必要がある。
【００４２】
上記の如く構成されるモールド金型１０に、図７に示すように、カップ部２の表面側を構成する素材５と、裏面側を構成する素材６とをセットし、温度２００℃及び圧力１５Ｋｇ／ｃｍ2 ／Ｇの条件で１分間加熱圧縮成形してカップ部２を成形すると同時に、上記カップ部２の表面側を構成する素材５と、裏面側を構成する素材６とを、略対称線９を接合線として一体的に接合する。そして、この加熱圧縮成形の際の成形条件については、使用するカップ部２の表面側を構成する素材の材質や厚さ、さらには必要に応じて使用する接着剤の種類等によって異なるが、通常、温度が５０〜２５０℃、好ましくは１００〜２２０℃であって、圧力が０．５〜１０Ｋｇ／ｃｍ2 ／Ｇ、好ましくは１〜７Ｋｇ／ｃｍ2 ／Ｇであり、加圧時間が３分程度又は５分程度である。
【００４３】
次に、上記の如くカップ部２の立体形状に対応した形状に、一体的かつ立体的に形成されたカップ部２の表面側及び裏面側を構成する素材５、６は、図１に示すように、略対称線に相当するカップ部２のチェスト部（上端縁）８を基準にして、カップ部２の裏面側を構成する素材６が、当該カップ部２の表面側を構成する素材５の内側に来るように折り返され、前記カップ部２のチェスト部（上端縁）８が二重に袋状となるように形成される。
【００４４】
このようにして、上記ブラジャー１のカップ部２は、図１乃至図３に示すように、所定の凸状に膨出した形状に形成されるとともに、当該カップ部２のチェスト部（上端縁）８が二重に袋状となるように形成されることになる。
【００４５】
以上のように、この実施の形態に係るブラジャー１のカップ部２の膨出構造及び形成方法によれば、当該ブラジャー１のカップ部２を構成する布片等の材料５、６は、カップ部２にほぼ相当する形状に裁断（カット）すれば良く、このカップ部２を構成する布片等の材料に無駄が生じるのを防止することができる。
【００４６】
また、この実施の形態に係るブラジャー１のカップ部２の膨出構造及び形成方法によれば、ブラジャー１のカップ部２を構成する布片等の素材５、６を、所定の形状に裁断（カット）する工程と、これらの所定の形状に裁断（カット）されたカップ部２の表面側及び裏面側を構成する布片等の各素材５、６を、モールド金型を用いて、一体的かつ立体的に加熱加圧成形する工程と、当該一体的かつ立体的に加熱加圧成形されたカップ部２の表面側及び裏面側を構成する布片等の各素材５、６を、略対称線に相当するカップ部２のチェスト部（上端縁）を基準にして折り返す工程によって形成されるため、ブラジャー１のカップ部２を簡単な形成工程で形成することができ、コストダウンや形成作業の正確性の向上が可能となる。しかも、上記カップ部２のチェスト部（上端縁）は、当該カップ部２の表面側及び裏面側を構成する布片等の各素材５、６を、単に折り返すことによって形成されているため、ブラジャー１のカップ部２のチェスト部（上端縁）８を薄く形成することができ、当該チェスト部８の厚みが表着等に響くことがなく、外観を向上することが可能となっている。
【００４７】
実施の形態２
図８及び図９はこの発明の実施の形態２を示すものであり、前記実施の形態１と同一の部分には同一の符号を付して説明すると、この実施の形態２では、ブラジャーのカップ部等の表面側を構成する素材と、裏面側を構成する素材とを異ならせることにより、着用感や装飾性を高めるように構成されている。
【００４８】
すなわち、この実施の形態２では、図８に示すように、ブラジャー１のカップ部２の裏面側を構成する素材６として、綿糸を編み込んだ布状片や、起毛状に編み込んだ布状片を使用することにより、女性のバストに接触するカップ部２の裏面側を構成する素材の吸湿性やソフト感を高め、着用感を高めることが可能となっている。
【００４９】
また、この実施の形態２では、図９に示すように、ブラジャー１のカップ部２の表面側を構成する素材５として、刺繍を入れた布状片や、プリントが施された布状片、あるいは編等のレースを入れた布状片を使用することにより、ブラジャー１のカップ部２の装飾性を高めることが可能となっている。
【００５０】
その他の構成及び作用は、前記実施の形態と同様であるので、その説明を省略する。
【００５１】
実施の形態３
図１０はこの発明の実施の形態３を示すものであり、前記実施の形態１と同一の部分には同一の符号を付して説明すると、この実施の形態３では、女性用衣料の膨出部が、ブラジャーのカップ部そのものではなく、ブラジャーのカップ部の裏面に使用される裏側部材からなるように構成されている。
【００５２】
すなわち、この実施の形態２では、図１０に示すように、ブラジャー１が左右の大きなカップ部２、３と、これらカップ部２、３の上部に接続されるストラップ２１、２２を備えており、上記ブラジャー１のカップ部２、３の裏面側には、当該カップ部の整形性を高めるための裏側部材２３が設けられており、当該裏側部材２３が前記実施の形態のカップ部と同様の構造及び方法によって形成されている。
【００５３】
こうした場合には、裏側部材２３のチェスト部（上端縁）２４を、縫製を施すことなく薄く形成することができ、当該チェスト部２４の厚みが表着等に響くことがなく、外観を向上することが可能となっている。
【００５４】
その他の構成及び作用は、前記実施の形態と同様であるので、その説明を省略する。
【００５５】
なお、前記実施の形態では、ブラジャーのカップ部等について説明したが、ブラジャーを中心としバストを構成する衣料全般、並びにバストに順ずる膨出部分を基本とするガードル等のボトムなどにも適用することができる。
【００５６】
また、前記実施の形態では、布状片等からなる素材を用いて、モールド金型によって成形する場合について説明したが、女性用衣料の膨出部分を射出成形方式によって形成しても良く、この場合には、膨出部を形成する素材として、エマルジョンタイプが主力となる。しかし、モールド金型等による成形プレス方式では、セット性を考慮した不織布・織物・編物等何れでも良く、且つ表裏を区分する表と裏の組織又は糸の混率や糸質を変えることにより、表構成が必要とするデザイン又は組織、裏構成が必要とする肌当たり・吸湿性等をデザインすることにより、付加価値を高めることができる。
【００５７】
更には、バスト膨出部を備えたトップ全体の、上縁又は下縁のいずれかのエッジを相似対線とし、構成することができる。
【００５８】
ボディにフィットするブラジャー等のファンデーションは、概ねストレッチ性が有ることが望ましいが、反面コンピュータージャガード機等により、製品の求める機能性（バストをサポートする機能・寄せる・上げる等の機能）に基づき伸びる部分、伸びない部分等をデザインすることも良い。
【００５９】
【発明の効果】
以上述べたように、この発明によれば、女性用衣料の膨出部を構成する布片等の材料に無駄が生じるのを防止するとともに、当該女性用衣料の膨出部を少ない形成工程で形成することができ、コストダウンや形成作業の正確性の向上が可能であり、しかも、女性用衣料の膨出部のエッジ部を薄く形成することができ、当該エッジ部の厚みが表着等に響くことがなく、外観を向上することが可能な女性用衣料の膨出部構造及びその形成方法、並びに当該女性用衣料の膨出部の製造装置を提供することができる。
【図面の簡単な説明】
【図１】  図１（ａ）（ｂ）はこの発明の実施の形態１に係る女性用衣料の膨出部構造を示す外形図及び断面図である。
【図２】  図２はこの発明の実施の形態１に係る女性用衣料の膨出部構造を適用したブラジャーを示す斜視図である。
【図３】  図３はこの発明の実施の形態１に係る女性用衣料の膨出部構造を適用したブラジャーを示す一部破断の構成図である。
【図４】  図４はブラジャーのカップを構成する素材を示す平面図である。
【図５】  図５はモールド金型の凸型を示す斜視図である。
【図６】  図６はブラジャーのカップを構成する素材を成形した状態を示す斜視図である。
【図７】  図７はモールド金型による成形状態を示す断面図である。
【図８】  図８はこの発明の実施の形態２に係る女性用衣料の膨出部構造を示す平面図である。
【図９】  図９はこの発明の実施の形態２に係る女性用衣料の膨出部構造を示す平面図である。
【図１０】  図１０（ａ）（ｂ）はこの発明の実施の形態３に係る女性用衣料の膨出部構造を示す外形図及び断面図である。
【図１１】  図１１は従来のモールド金型の凸型を示す斜視図である。
【図１２】  図１２は従来の女性用衣料の膨出部構造を示す説明図である。
【符号の説明】
１  ブラジャー、２、３  左右のカップ部、５  カップ部の表面側を形成する素材、６  カップ部の裏面側を形成する素材、８  カップ部のチェスト部（上縁部）、９  略対称線、１０  モールド金型。
【図１】
0003958919.tif 000002
【図２】
0003958919.tif 000003
【図３】
0003958919.tif 000004
【図４】
0003958919.tif 000005
【図５】
0003958919.tif 000006
【図６】
0003958919.tif 000007
【図７】
0003958919.tif 000008
【図８】
0003958919.tif 000009
【図９】
0003958919.tif 000010
【図１０】
0003958919.tif 000011
【図１１】
0003958919.tif 000012
【図１２】
0003958919.tif 000013